(57)【要約】【課題】  簡単な構造であり、複数サイズの用紙を積載収容し得るとともに、設置場所の条件にもフレキシブルに対応でき、用紙サイズの変更明示も簡易になし得る画像形成装置を提供する。【解決手段】  用紙に画像を記録する画像記録部１と、画像記録部１に用紙を供給する給紙部２とを含む画像形成装置Ａである。給紙部２は、給紙部筐体２０と、給紙部筐体２０の底板２０１上に並列状態で格納される３個の給紙トレイ３，４，５とを備える。３個の給紙トレイ３，４，５は、給紙部筐体２０に対し、それぞれが並列方向に直交する方向に沿って着脱が可能とする。並列方向両側に位置する給紙トレイ３，５の少なくとも一方は、隣接する中央給紙トレイ４と連結可能とされ、かつ、この連結状態で、中央給紙トレイ４とともに、給紙部筐体２０に対し、並列方向に沿って着脱が可能とする。【選択図】  図３
2010155711.tif 000002
【特許請求の範囲】
【請求項１】
用紙に画像を記録する画像記録部と、前記画像記録部に前記用紙を供給する給紙部とを含む画像形成装置において、
前記給紙部は、給紙部筐体と、前記給紙部筐体の底板上に並列状態で格納される３個の給紙トレイとを備え、
前記３個の給紙トレイは、前記給紙部筐体に対し、それぞれが前記並列方向に直交する方向に沿って着脱が可能とされ、
前記並列方向両側に位置する給紙トレイの少なくとも一方は、隣接する中央の給紙トレイと連結可能とされ、かつ、この連結状態で、前記中央の給紙トレイとともに、前記給紙部筐体に対し、前記並列方向に沿って着脱が可能とされていることを特徴とする画像形成装置。
【請求項２】
前記隣接する給紙トレイ間は、並列方向両側の給紙トレイに設けられた仕切り板によって仕切られ、前記連結可能とされた給紙トレイの連結状態では、前記仕切り板が中央の給紙トレイの底部上に倒伏し、前記連結状態は、仕切り板が倒伏した際に当該仕切り板と前記底部とに設けられた連結手段の相互の連結によってなされることを特徴とする請求項１に記載の画像形成装置。
【請求項３】
前記３個の給紙トレイは、同一定形記録紙を積載収容し得る大きさとされ、前記隣接する給紙トレイが連結されたときには、両連結給紙トレイは、当該定形記録紙の２倍の大きさの定形用紙を積載収容し得る１個の大サイズ給紙トレイを構成することを特徴とする請求項２に記載の画像形成装置。
【請求項４】
前記連結手段は、前記仕切り板が倒伏した際に嵌合し合うピンおよびピン孔によって構成されていることを特徴とする請求項２または３に記載の画像形成装置。
【請求項５】
前記連結可能とされた給紙トレイにおける前記仕切り板の倒伏動作は、前記並列方向に沿って配設されたトレイ連結レバーの引き操作によってなされるよう構成されていることを特徴とする請求項２〜４のいずれか１つに記載の画像形成装置。
【請求項６】
前記連結可能とされた給紙トレイ間には、前記並列方向と直交する方向に操作し得る仕切り板起立手段が設けられ、
前記起立手段を操作すると、前記仕切り板が起立状態に復帰すると共に前記連結状態が解除されるよう構成されていることを特徴とする請求項５に記載の画像形成装置。
【請求項７】
前記トレイ連結レバーは、用紙サイズ表示部とセンサー作用部とを備え、
前記給紙部筐体には前記センサー作用部に対応する用紙サイズセンサーが設置され、
前記トレイ連結レバーの引き操作がなされた際には、前記用紙サイズ表示部によって前記大きな定形サイズである旨の表示がされると共に、前記センサー作用部の前記用紙サイズセンサーに対する作用によって前記大きな定形サイズである旨の信号が送出され、
前記トレイ連結レバーの戻し操作がなされると、前記用紙サイズ表示部によって前記定形サイズである旨の表示がなされると共に、前記センサー作用部の前記用紙サイズセンサーに対する作用によって前記定形サイズである旨の信号が送出されるよう、構成されていることを特徴とする請求項６に記載の画像形成装置。
【請求項８】
前記給紙部筐体には、前記各給紙トレイの前記並列方向と直交する方向に沿った着脱状態、および、前記並列方向側部に位置する給紙トレイの前記並列方向に沿った着脱状態、をそれぞれ検出するセンサーが設けられていることを特徴とする請求項１〜７のいずれか１つに記載の画像形成装置。
【請求項９】
装置機体の両側外面部に近接物検出センサーを備えていることを特徴とする請求項１〜８のいずれか１つに記載の画像形成装置。
【請求項１０】
前記３個の給紙トレイに個々に用紙が積載収容されている場合に、前記近接物検出センサーのいずれかが近接物の検出動作をしたときは、この検出動作をしたセンサー側の給紙トレイから優先的に用紙の繰出供給がなされるよう構成されていることを特徴とする請求項１〜９のいずれか１つに記載の画像形成装置。
【発明の詳細な説明】
【技術分野】
【０００１】
本発明は、複写機、ファクシミリ装置、プリンタおよびこれらの機能を備えたいわゆる複合機、さらには印刷機などの画像形成装置に関し、詳しくは、用紙に画像を記録する画像記録部と、画像記録部に前記用紙を供給する給紙部とを含む画像形成装置に関する。
【背景技術】
【０００２】
前記のように、画像記録部および給紙部を含む画像形成装置には、一例として特許文献１に示されるような給紙装置が用いられる。この特許文献１に開示された給紙装置は、水平に並設された２個の第１および第２給紙トレイを備え、それぞれの給紙トレイには、所定枚数の用紙を積載することができ、給紙手段側の第１給紙トレイが給紙によって空になると、第２給紙トレイ上の用紙を一括して第１給紙トレイに移送させて給紙手段で給紙することができるとともに、両給紙トレイに亘り大サイズの用紙も積載して給紙手段で給紙することができるよう構成されている。そして、前記第１および第２給紙トレイを備えた上段給紙部の下には、大サイズの用紙を積載し得る下段トレイを備えた下段給紙部が設置されている。
【０００３】
【特許文献１】特開平１１-２４０６３０号公報
【発明の開示】
【発明が解決しようとする課題】
【０００４】
前記特許文献１に開示された給紙装置の場合、各給紙部にパンタグラフ機構のような大掛かりな上下昇降機構が組み込まれるため、上下方向に大きなスペースを確保する必要がある。装置によっては、操作性などの観点から高さが制約される場合があり、その場合は、幅方向に複数サイズの用紙を積載収容し得る複数の給紙トレイを同一平面上に並設するようなレイアウト構造が採用される。そして、これらの給紙トレイは、装置の前面側あるいは側部側に引出せるような構造とすることが望ましいが、側部側に引出せるような構造の場合、設置場所の壁の位置や他の既設什器などとの関係によって、左右どちらに引出せるようにするかは一概に決めることができなかった。また、同一平面上に複数の給紙トレイを並設するにしても、スペース的な制約があるため、積載収容し得る用紙サイズの種類も限られることは否めなかった。特に、大きなサイズの用紙に対応するために、隣接する給紙トレイ同士を連結可能とすると、連結状態の給紙トレイは、連結機構の関係で、前記並設方向に、すなわち側部側に引出せるようにすることが望ましく、そのため、設計上、場所的な制約が大きく影響することになる。
【０００５】
また、特許文献１の給紙装置の場合、第１および第２給紙トレイに亘って大サイズの用紙を積載することが可能とされているが、このように大サイズおよび通常サイズでの使用態様を明示する手段がなく、ユーザをして戸惑わせることになる懸念があった。さらに、第２給紙トレイは直接給紙に関与せず、そのため、第１給紙トレイが空になったとき、第２給紙トレイ上の用紙を一括して第１給紙トレイに移送させるための手段も必要とされ、しかも、この移送の際には給紙動作を停止せざるを得ず、画像形成動作の円滑性が損なわれることにもなる。
【０００６】
本発明の目的は、簡単な構造でありながら、複数サイズの用紙を積載収容し得るとともに、設置場所の条件にもフレキシブルに対応でき、用紙サイズの変更明示も簡易になし得る画像形成装置を提供することである。
【課題を解決するための手段】
【０００７】
本発明は、用紙に画像を記録する画像記録部と、前記画像記録部に前記用紙を供給する給紙部とを含む画像形成装置において、
前記給紙部は、給紙部筐体と、前記給紙部筐体の底板上に並列状態で格納される３個の給紙トレイとを備え、
前記３個の給紙トレイは、前記給紙部筐体に対し、それぞれが前記並列方向に直交する方向に沿って着脱が可能とされ、
前記並列方向両側に位置する給紙トレイの少なくとも一方は、隣接する中央の給紙トレイと連結可能とされ、かつ、この連結状態で、前記中央の給紙トレイとともに、前記給紙部筐体に対し、前記並列方向に沿って着脱が可能とされていることを特徴とする画像形成装置である。
【０００８】
さらに本発明は、前記隣接する給紙トレイ間が、並列方向両側の給紙トレイに設けられた仕切り板によって仕切られ、前記連結可能とされた給紙トレイの連結状態では、前記仕切り板が中央の給紙トレイの底部上に倒伏し、前記連結状態は、仕切り板が倒伏した際に当該仕切り板と底部とに設けられた連結手段の相互の連結によってなされることを特徴とする。
【０００９】
さらに本発明は、前記３個の給紙トレイが、同一定形記録紙を積載収容し得る大きさとされ、前記隣接する給紙トレイが連結されたときには、両連結給紙トレイは、当該定形記録紙の２倍の大きさの定形用紙を積載収容し得る１個の大サイズ給紙トレイを構成することを特徴とする。
【００１０】
さらに本発明は、前記連結手段が、前記仕切り板が倒伏した際に嵌合し合うピンおよびピン孔によって構成されていることを特徴とする。
【００１１】
さらに本発明は、前記連結可能とされた給紙トレイにおける前記仕切り板の倒伏動作が、前記並列方向に沿って配設されたトレイ連結レバーの引き操作によってなされるよう構成されていることを特徴とする。
【００１２】
さらに本発明は、前記連結可能とされた給紙トレイ間には、前記並列方向と直交する方向に操作し得る仕切り板起立手段が設けられ、
前記起立手段を操作すると、前記仕切り板が起立状態に復帰すると共に前記連結状態が解除されるよう構成されていることを特徴とする。
【００１３】
さらに本発明は、前記トレイ連結レバーが、用紙サイズ表示部とセンサー作用部とを備え、
前記給紙部筐体には前記センサー作用部に対応する用紙サイズセンサーが設置され、
前記トレイ連結レバーの引き操作がなされた際には、前記用紙サイズ表示部によって前記大きな定形サイズである旨の表示がされると共に、前記センサー作用部の前記用紙サイズセンサーに対する作用によって前記大きな定形サイズである旨の信号が送出され、
前記トレイ連結レバーの戻し操作がなされると、前記用紙サイズ表示部によって前記定形サイズである旨の表示がなされると共に、前記センサー作用部の前記用紙サイズセンサーに対する作用によって前記定形サイズである旨の信号が送出されるよう、構成されていることを特徴とする。
【００１４】
さらに本発明は、前記給紙部筐体には、前記各給紙トレイの前記並列方向と直交する方向に沿った着脱状態、および、前記並列方向側部に位置する給紙トレイの前記並列方向に沿った着脱状態、をそれぞれ検出するセンサーが設けられていることを特徴とする。
【００１５】
さらに本発明は、装置機体の両側外面部に近接物検出センサーを備えていることを特徴とする。
【００１６】
さらに本発明は、前記３個の給紙トレイに個々に用紙が積載収容されている場合に、前記近接物検出センサーのいずれかが近接物の検出動作をしたときは、この検出動作をしたセンサー側の給紙トレイから優先的に用紙の繰出供給がなされるよう構成されていることを特徴とする。
【発明の効果】
【００１７】
本発明によれば、給紙部から画像記録部に供給された用紙には、この画像記録部において所定の画像記録がなされる。前記給紙部には、給紙部筐体の底板上に並列状態で３個の給紙トレイが格納されており、これらの３個の給紙トレイは、前記給紙部筐体に対し、それぞれが前記並列方向に直交する方向に沿って着脱可能とされているから、これらの給紙トレイには、個々に用紙を積載収容することができる。
【００１８】
また、前記並列方向両側に位置する給紙トレイの少なくとも一方は、隣接する中央の給紙トレイと連結可能とされているから、この連結によって大サイズの用紙を収容することが可能となる。しかも、この連結状態の両給紙トレイは、前記給紙部筐体に対し、前記並列方向に沿って着脱可能とされているから、この連結状態の給紙トレイを給紙部筐体の側方に抜出し、大サイズの用紙を積載収容することができる。そして、並列方向両側の給紙トレイのそれぞれが、隣接する中央の給紙トレイと連結可能とされてていることによって、本発明の装置が設置される場所がたとえば壁などの存在によって並列方向の一方側には給紙トレイの着脱が不可能となるような場合、他方側の隣接する給紙トレイ同士を連結して、この連結トレイを大サイズ用紙を収容して用いることができる。この場合、残余の給紙トレイは、通常サイズ用とし、前記並列方向に直交する方向、すなわち、装置の前面側に着脱可能とされるから、設置場所の条件にかかわらず、用紙の積載収容操作を行うことができる。
【００１９】
このように、簡単な構造でありながら、複数サイズの用紙を積載収容し得るとともに、設置場所の条件にもフレキシブルに対応できる画像形成装置が実現できる。
【００２０】
本発明によれば、前記隣接する給紙トレイ間が、並列方向両側の給紙トレイに設けられた仕切り板によって仕切られているから、各給紙トレイに積載収容された用紙は、相互に干渉することなく積載収容状態に維持される。そして、前記隣接する給紙トレイの連結状態では、前記仕切り板が他方の給紙トレイの底部上に倒伏するから、仕切り板が障害とならず、連結された両給紙トレイに跨るように大サイズ用紙の積載収容が可能となる。しかも、前記連結状態は、仕切り板が倒伏した際に、当該仕切り板と前記中央の給紙トレイの底部とに設けられた連結手段の相互の連結によってなされるから、仕切り板が連結片としての機能も兼ねることになり、構造の簡素化が図られる。
【００２１】
本発明によれば、前記３個の給紙トレイが、同一定形記録紙を積載収容し得る大きさとされているから、たとえば、最も汎用性の高いＡ４用紙の使用頻度が高い場合には、すべての給紙トレイにＡ４用紙を積載収容しておけば、３個の給紙トレイによって大容量トレイの代用とすることができる。そして、Ａ３用紙が必要とされる場合には、前記連結可能な隣接する給紙トレイを連結し、この連結給紙トレイにＡ３用紙を積載収容すれば、Ａ４用紙とＡ３用紙の併用が可能となる。この場合、連結給紙トレイにはＢ４用紙を積載収容させることも可能であり、これらは、ユーザの使用態様によって適宜選択される。
【００２２】
本発明によれば、前記連結手段が、前記仕切り板が倒伏した際に嵌合し合うピンおよびピン孔によって構成されているから、仕切り板の倒伏とともに連結状態が容易に達成される。しかも、ピンおよびピン孔の嵌合による連結であるから、ここでも構造の簡素化が図られる。
【００２３】
本発明によれば、前記並列方向に沿ったトレイ連結レバーの引き操作によって前記仕切り板が倒伏するよう構成されているから、簡易な手操作によって、前記仕切り板の倒伏および隣接する給紙トレイを連結することができる。
【００２４】
本発明によれば、前記隣接する各給紙トレイ間には、前記並列方向と直交する方向に操作し得る仕切り板起立手段が設けられているから、仕切り板起立手段の簡易な手操作によって仕切り板を起立させることができる。そしてこの起立手段を操作すると、前記仕切り板が起立状態に復帰すると共に前記連結状態が解除されるから、前記３個の給紙トレイが個々に用紙を積載収容し得る状態に簡易に復帰させることができる。
【００２５】
本発明によれば、前記トレイ連結レバーが、用紙サイズ表示部を備えているから、トレイ連結レバーの引き操作あるいは戻し操作によって、用紙サイズ表示部に、対応する用紙サイズを視覚表示させることができる。具体的には、前記トレイ連結レバーの引き操作がなされた際には、前記用紙サイズ表示部によって前記大きな定形サイズである旨を表示し、前記トレイ連結レバーの戻し操作がなされると、前記用紙サイズ表示部によって前記定形サイズである旨の表示をするようにすれば、ユーザはこれを視覚的に認識することができ、連結状態および非連結状態での給紙トレイに積載収容される用紙サイズを的確に把握することができる。
【００２６】
また、前記トレイ連結レバーが、センサー作用部を備え、前記給紙部筐体には前記センサー作用部に対応する用紙サイズセンサーが設置されているから、前記トレイ連結レバーの引き操作がされると、前記センサー作用部の前記用紙サイズセンサーに対する作用によって前記大きな定形サイズである旨の信号を送出させ、前記トレイ連結レバーの戻し操作がなされると、前記センサー作用部の前記用紙サイズセンサーに対する作用によって前記定形サイズである旨の信号を送出させることができ、これによって、前記画像記録部における記録動作制御が、積載収容されている用紙サイズに対応して適正になされる。
【００２７】
本発明によれば、前記給紙部筐体には、前記各給紙トレイの前記並列方向と直交する方向に沿った着脱状態をそれぞれ検出するセンサーが設けられているから、３個の給紙トレイを個々に前記並列方向と直交する方向に沿って着脱すると、その状態が対応するセンサーによって検出される。
【００２８】
また、前記並列方向両側に位置する給紙トレイの前記並列方向に沿った着脱状態をそれぞれ検出するセンサーも設けられているから、並列方向両側の給紙トレイが、中央の給紙トレイに連結されているか否かに拘わらず、これら両側の給紙トレイの並列方向に沿った着脱状態が対応するセンサーによって検出される。これらのセンサーによる検出情報は、前記画像記録部における記録動作制御の有用な情報として記憶される。
【００２９】
本発明によれば、装置機体の両側外面部に近接物検出センサーを備えているので、近接物の検出動作があったセンサー側の前記隣接トレイの連結が不可能であり、その反対側では前記隣接トレイの連結が可能である旨の報知を行うことができ、この連結された給紙トレイから大サイズの用紙の給紙を行うように動作制御することができる。
【００３０】
さらに本発明によれば、前記３個の給紙トレイに個々に用紙が積載収容されている場合に、前記近接物検出センサーのいずれかが近接物の検出動作をしたときは、この検出動作をしたセンサー側の給紙トレイから優先的に用紙の繰出供給がなされるよう構成されているから、近接物から離れた側の給紙トレイが使用されていない可能性が高く、そのため、大サイズの用紙の使用が必要とされる場合が生じた際に、これらの使用されていない給紙トレイを、近接物の影響を受けずに連結することができ、臨機応変な対応が可能となる。
【発明を実施するための最良の形態】
【００３１】
図１は、本発明の一実施形態である画像形成装置Ａの概略的構成を示す縦断面図である。図１に示す画像形成装置Ａは、タンデム方式のカラー電子写真画像記録部１を備えた印刷機あるいはプリンタであり、装置機体（装置本体フレーム）Ａ０内の上部に前記画像記録部１が、装置機体Ａ０の一部をなす下部の給紙部筐体２０内に給紙部２が、それぞれ設置されている。本実施形態の画像形成装置Ａに、画像読取装置とその関連機器、あるいは、ファクシミリエンジンなどを付加すれば、複写装置、ファクシミリ装置、あるいは複合機として構成することができる。図示の画像形成装置Ａにおいて、紙面の手前側を装置の手前側（正面側）、奥側を装置の奥側（背面側）とし、紙面に向かって左側を装置の左側、右側を装置の右側とし、ユーザは正面側から装置の操作などを行う。
【００３２】
画像記録部１は、イエロー、マゼンタ、シアンおよびブラックの各色の現像剤に対応する電子写真方式のプロセスユニット１１〜１４がこの順序で配設され、各プロセスユニット１１〜１４は、感光体ドラム１１１，１２１，１３１，１４１の周りに、帯電器１１２，１２２，１３２，１４２、現像器１１３，１２３，１３３，１４３、一次転写ベルト１５を介して一次転写ローラ１１４，１２４，１３４，１４４およびクリーニング装置１１５，１２５，１３５，１４５が配設されて構成される。また、これらのプロセスユニット１１〜１４の下には、各帯電器１１２，１２２，１３２，１４２と各現像器１１３，１２３，１３３，１４３との間に、各感光体ドラム１１１，１２１，１３１，１４１に対して各色に対応する光画像情報を露光することができるように構成されたレーザ露光ユニット１６が設置されている。前記一次転写ベルト１５は、駆動ローラ１５１と従動ローラ１５２とにわたって掛け渡され、矢印ａの方向に回転駆動される。
【００３３】
各プロセスユニット１１〜１４においては、前記矢印ａ方向に垂直な幅方向（図１の紙面に垂直な方向）に延びる回転軸線まわりにそれぞれ回転する各感光体ドラム１１１，１２１，１３１，１４１の表面が各帯電器１１２，１２２，１３２，１４２によって一様に帯電され、レーザ露光ユニット１６によって各色に対応する光画像情報が露光されて、各感光体ドラム１１１，１２１，１３１，１４１の表面に静電潜像が形成される。この静電潜像は、各現像器１１３，１２３，１３３，１４３によって現像されて各色のトナー像として顕像化される。このトナー像は、各感光体ドラム１１１，１２１，１３１，１４１と各一次転写ローラ１１４，１２４，１３４，１４４とのニップ位置において、バイアス印加された各一次転写ローラ１１４，１２４，１３４，１４４によって一次転写ベルト１５の表面に順次的に転写され、これによって一次転写ベルト１５におけるプロセスユニット１４の下流側の表面には、元画像に対応するトナー像が形成される。
【００３４】
元画像に対応するトナー像が形成された一次転写ベルト１５は、二次転写ローラ１７と前記駆動ローラ１５１とのニップ部に導入され、バイアス印加された二次転写ローラ１７によって、後述する給紙部２から給紙搬送される用紙に転写される。トナー像が転写された用紙は、ヒートローラ１８１およびプレスローラ１８２からなる定着器１８に導入され、トナー像が永久画像として定着された後、排出ローラ１９によって、排出トレイ１９１上に排出堆積される。前記一次転写ベルト１５におけるプロセスユニット１１の上流側近傍には、クリーニング装置１５３が近接して配置され、一次転写ベルト１５の表面に付着する転写残トナーが回収されるように構成されている。
【００３５】
前記給紙部２においては、前記給紙部筐体２０の底板２０１上に３個の給紙トレイ３，４，５が給紙方向に沿う左右方向に並列状態で格納されて、それぞれが第１給紙ユニット３０、第２給紙ユニット４０および第３給紙ユニット５０を構成する。第１〜第３給紙ユニット３０，４０，５０には、各給紙トレイ３〜５に積載収容された用紙Ｐ１〜Ｐ３の最上層部から１枚ずつ繰出し供給する給紙ローラ３１，４１，５１が配設されている。これらの給紙ローラ３１，４１，５１から給紙される用紙Ｐ１〜Ｐ３は、各搬送路に配設される搬送ローラ２１〜２３によって搬送され、主搬送路２４に合流し、この主搬送路２４に配設されるレジストローラ２５に先端部が当接して揃えられて、前記二次転写ローラ１７と駆動ローラ１５１とのニップ部（転写部）に導入され、前記トナー像が各用紙Ｐ１〜Ｐ３に転写される。
【００３６】
前記排出ローラ１９は正逆回転可能とされ、この排出ローラ１９の逆回転によって、片面記録された用紙Ｐ１〜Ｐ３がスイッチバックし、反転搬送路２６の途中に配置された反転搬送ローラ２６１，２６２によって前記搬送経路２６を搬送され、再びレジストローラ２５に先端部が当接して揃えられ、前記ニップ部に導入される。このニップ部によって前記片面に画像が形成された各用紙Ｐ１〜Ｐ３の裏面へトナー像が転写および定着され、こうして、各用紙Ｐ１〜Ｐ３に対する両面記録機構が構成される。
【００３７】
各給紙トレイ３，４，５は、同一定形用紙（たとえば、Ａ４サイズ）Ｐ１，Ｐ２，Ｐ３を積載収容可能とされ、各給紙トレイ３，４，５は、給紙部筐体２０に対し、後述の図３（ａ）および図３（ｂ）に示すように、個々に装置機体Ａ０の前後方向に着脱可能とされている。また、中央給紙トレイ４と、その左右両側の給紙トレイ３，５とは、後述の図３（ｃ）および図３（ｄ）に示すように、個々に連結可能とされ、連結状態の給紙トレイ３，４および４，５は、給紙部筐体２０に対し、連結トレイ３４，４５を構成し、それぞれ並列方向に沿って左右に着脱可能とされている。
【００３８】
図２（ａ）は、画像形成装置Ａを装置機体Ａ０の左側面が壁Ｗ１に沿うように配置した状態を示す縦断面図であり、図２（ｂ）は、画像形成装置Ａを装置機体Ａ０の右側面が壁Ｗ２に沿うように配置した状態を示す縦断面図である。図３（ａ）〜図３（ｄ）は同画像形成装置Ａの種々の使用態様を、給紙トレイ３〜５の連結の際の仕切り板３６，５６の倒伏も含めて模式的に示す図である。図２（ａ）では、給紙トレイ４，５が連結されて連結トレイ４５を構成し、前記定形用紙（たとえば、Ａ４サイズ）の２倍のサイズ（たとえば、Ａ３サイズ）の定形用紙Ｐ４が積載収容され、図２（ｂ）では、給紙トレイ３，４が連結されて連結トレイ３４を構成し、同じく大サイズ（たとえば、Ａ３サイズ）の定形用紙Ｐ５が積載収容されている。そして、連結トレイ４５，３４は、給紙部筐体２０に対し、前記並列方向（左右方向）に着脱が可能とされる。前者の連結トレイ４５は、図３（ｃ）に示すように壁Ｗ１がない右側に抜出されて、また、後者の連結トレイ３４は、図３（ｄ）に示すように壁Ｗ２のない左側に抜出されて、それぞれ大サイズ用紙Ｐ４，Ｐ５の装填などの作業がなされる。この場合、壁側の給紙トレイ３，５（図２（ａ）、図３（ｃ）），（図２（ｂ）、図３（ｄ））は、いずれも装置機体Ａ０の手前側に抜出されて、それぞれ前記小サイズ用紙Ｐ１，Ｐ３の装填などの作業がなされる。各連結トレイ４５，３４に積載収容された大サイズ用紙Ｐ４，Ｐ５は、それぞれ給紙ローラ４１，３１によって繰出され、前記画像記録部１に向け給紙される。
【００３９】
このように、大サイズ用紙の使用が必要とされる場合には、設置場所の条件（壁の有無や、既設の什器の有無など）に応じて、後述する用紙切替部６を操作し、隣接する給紙トレイ同士の連結および解除が適宜選択的になされる。図３（ａ）〜図３（ｄ）は、このような使用態様を、給紙トレイの連結の際の仕切り板（後述する）の倒伏も含めて、模式的に示している。
【００４０】
図４〜図７は、各給紙トレイ３〜５の概略的構造を示している。各給紙トレイ３〜５は、互いに近接して並列配置されるが、図４では、便宜上これらを並列方向に互いに間隔をあけて示している。左側給紙トレイ３は、左側支持部３２および手前側支持部３３を備え、左側支持部３２には取手３２１が設けられており、給紙トレイ３を左側に引出す際に用いられる。また、手前側支持部３３にも取手３３１が設けられており、左側給紙トレイ３を手前方向に引出す際に用いられる。
【００４１】
左側給紙トレイ３の左側辺部には、断面コ字状のスライドレール３９が形成され、左側支持部３２に対してこのスライドレール３９を介して連結されてスライド機構が構成されている。このスライド機構によって、左側給紙トレイ３を手前側にスライドさせて抜出しが可能とされている。
【００４２】
また、左側給紙トレイ３の手前側辺部には、断面コ字状のスライドレール３５が形成され、左側給紙トレイ３は、手前側支持部３３に対してこのスライドレール３５を介して連結されて、スライド機構が構成されている。このスライド機構によって、左側給紙トレイ３を左側にスライドさせて給紙部筐体２０からの抜出しが可能とされている。
【００４３】
前記左側給紙トレイ３と、左側支持部３２および手前側支持部３３とのスライドレール３９およびスライドレール３５を介したスライド機構においては、各スライド方向に直交する方向では離脱不能な嵌合関係で連結されている。したがって、前記取手３３１を把持して、手前側支持部３３とともに左側給紙トレイ３を手前側へ抜出し操作および戻し（挿入）操作する際、左側支持部３２が給紙部筐体２０内にその抑止作用によって静止した状態とされる。また、前記取手３２１をして、左側支持部３２とともに左側給紙トレイ３を左側へ抜出し操作および戻し（挿入）操作する際、手前側支持部３３が給紙部筐体２０内にその抑止作用によって静止した状態とされる。
【００４４】
左側給紙トレイ３の中央給紙トレイ４側の端部には、中央給紙トレイ４との仕切り板３６が設けられている。この仕切り板３６は、図８（ａ）に示すように、左側給紙トレイ３の中央給紙トレイ４側の端部に、水平軸３６１，３６２を介し、これらの水平軸３６１，３６２の軸線まわりに起伏可能に接続されている。また、仕切り板３６には中央給紙トレイ４との連結手段７を構成するピン孔７１，７２，７３が設けられている。このピン孔７１，７２，７３を介した左側給紙トレイ３と中央給紙トレイ４との連結手段７については後述する。
【００４５】
中央給紙トレイ４は、手前側支持部４２を備え、この手前側支持部４２には取手４２１が設けられる。取手４２１は、中央給紙トレイ４を手前側に引出す際に用いられる。中央給紙トレイ４の手前側辺部には、断面コ字状のスライドレール４３が形成され、中央給紙トレイ４は、手前側支持部４２に対してこのスライドレール４３を介して連結されて、スライド機構が構成されている。このスライド機構によって、中央給紙トレイ４を左側給紙トレイ３と連結した状態（前記連結トレイ３４）で、あるいは、右側給紙トレイ５と連結した状態（前記連結トレイ４５）で、左側あるいは右側にスライドさせて給紙部筐体２０からの抜出しが可能とされている。
【００４６】
前記中央給紙トレイ４と、手前側支持部４２とのスライドレール４３を介したスライド機構においては、前記連結状態でのスライド方向に直交する方向では離脱不能な嵌合関係で連結されている。したがって、前記取手４２１の操作をして、手前側支持部４２とともに中央給紙トレイ４を手前側へ抜出し操作および戻し（挿入）操作が可能とされるが、前記連結状態で左側あるいは右側に抜出し操作および戻し（挿入）操作する際には、左右の給紙トレイ３，５の手前側支持部３２，５２に抑止されて、手前側支持部４２が給紙部筐体２０内に静止した状態とされる。
【００４７】
また、中央給紙トレイ４の、前記左側給紙トレイ３側の部分は、前記仕切り板３６とほぼ同幅の凹段部４４とされ、この凹段部４４の上には、前記ピン孔７１，７２，７３に対応するピン（ボス）７１ａ，７２ａ，７３ａが突設され、このピン７１ａ，７２ａ，７３ａとピン孔７１，７２，７３とによって、給紙トレイ３，４の連結手段７が構成される。
【００４８】
さらに、中央給紙トレイ４の、前記右側給紙トレイ５側の部分は、後述する仕切り板５６とほぼ同幅の凹段部４４ａとされ、この凹段部４４ａの上には、後述するピン孔８１，８２，８３に対応するピン（ボス）８１ａ，８２ａ，８３ａが突設され、このピン８１ａ，８２ａ，８３ａとピン孔８１，８２，８３とによって、各給紙トレイ４，５の連結手段８が構成される。このピン孔８１，８２，８３を介した中央給紙トレイ４と左側給紙トレイ５との連結手段８については後述する。前記凹段部４４，４４ａの両給紙トレイ３，５側には、側辺部に沿ってスリット４４１，４４１ａが形成されている。このスリット４４１，４４１ａの機能については後述する。
【００４９】
右側給紙トレイ５は、右側支持部５２および手前側支持部５３を備え、右側支持部５２には取手５２１が設けられており、給紙トレイ５を右側に引出す際に用いられる。また、手前側支持部５３にも取手５３１が設けられており、給紙トレイ５を手前方向に引出す際に用いられる。給紙トレイ５の右側辺部には断面コ字状のスライドレール５４が形成され、右側支持部５２に対してこのスライドレール５４を介して連結されてスライド機構が構成されている。このスライド機構によって、右側給紙トレイ５を手前側にスライドさせて抜出しが可能とされている。
【００５０】
また、給紙トレイ５の手前側辺部には、断面コ字状のスライドレール５５が設けられ、給紙トレイ５は、手前側支持部５３に対してこのスライドレール５５を介して連結されて、スライド機構が構成されている。このスライド機構によって、給紙トレイ５を右側にスライドさせて給紙部筐体２０からの抜出しが可能とされている。前記給紙トレイ５と、右側支持部５２および手前側支持部５３とのスライドレール５４およびスライドレール５５を介したスライド機構においては、各スライド方向に直交する方向では離脱不能な嵌合関係で連結されている。
【００５１】
したがって、前記取手５３１をして、手前側支持部５３とともに右側給紙トレイ５を手前側へ抜出し操作および戻し（挿入）操作する際、右側支持部５２が給紙部筐体２０内にその抑止作用によって静止した状態とされる。また、前記取手５２１をして、右側支持部５２とともに右側給紙トレイ５を右側へ抜出し操作および戻し（挿入）操作する際、手前側支持部５３が給紙部筐体２０内にその抑止作用によって静止した状態とされる。
【００５２】
右側給紙トレイ５の中央給紙トレイ４側の端部には、中央給紙トレイ５との仕切り板５６が設けられている。この仕切り板５６は、図８（ｂ）に示すように、右側給紙トレイ５の中央給紙トレイ４側の端部に、水平軸５６１，５６２を介し、これらの水平軸５６１，５６２の軸線まわりに起伏可能に接続されている。また、仕切り板５６には中央給紙トレイ４との連結手段８を構成する前記ピン孔８１，８２，８３が設けられている。このピン孔８１，８２，８３を介した右側給紙トレイ５と中央給紙トレイ４との連結手段８については後述する。
【００５３】
次に、図８〜図１０を参照して、左側給紙トレイ３と中央給紙トレイ４との連結の機構、中央給紙トレイ４と右側給紙トレイ５との連結の機構、およびこれらの連結解除の機構を説明する。図８（ａ）は、用紙切替部６のトレイ連結レバー６１（図９参照）の操作によって、給紙トレイ３，４が連結された状態を示している。すなわち、トレイ連結レバー６１の後述する引き操作によって、給紙トレイ３の前記仕切り板３６が、前記水平軸３６１，３６２を支点として中央給紙トレイ４側に倒伏し、中央給紙トレイ４の前記凹段部４４に重なり合うとともに、前記各ピン孔７１，７２，７３と各ピン７１ａ，７２ａ，７３ａとがそれぞれ嵌合する。この嵌合による相互のピン結合によって、左側給紙トレイ３と中央給紙トレイ４とが連結され、前記連結トレイ３４が構成される。
【００５４】
また、図８（ｂ）は、用紙切替部６のトレイ連結レバー６２（図９参照）の操作によって、給紙トレイ４，５が連結された状態を示している。すなわち、トレイ連結レバー６２の後述する引き操作によって、給紙トレイ５の前記仕切り板５６が、前記水平軸５６１，５６２を支点として中央給紙トレイ４側に倒伏し、中央給紙トレイ４の前記凹段部４４ａに重なり合うとともに、前記ピン孔８１，８２，８３とピン８１ａ，８２ａ，８３ａとがそれぞれ嵌合する。この嵌合による相互のピン結合によって、右側給紙トレイ５と中央給紙トレイ４とが連結され、前記連結トレイ４５が構成される。
【００５５】
図１および図２に示すように、用紙切替部６は、前記給紙部筐体２０の底部に設置されており、図９（ａ）および図９（ｂ）に示すように、用紙切替部６の切替部筐体６０内に、前記トレイ連結レバー６１，６２と、後述する仕切り板起立手段としての連結解除レバー６３，６４とが装備されている。トレイ連結レバー６１は、給紙トレイ３の下部に配置され、切替部筐体６０に設けられたピン６０１のトレイ連結レバー６１の側部に設けられた長孔６１１内での可動範囲に亘って左右方向に相対移動が可能とされている。
【００５６】
また、トレイ連結レバー６２は、給紙トレイ５の下部に配置され、切替部筐体６０に設けられたピン６０２のトレイ連結レバー６２の側部に設けられた長孔６２１内での相対可動範囲に亘って左右方向に移動が可能とされている。これらのトレイ連結レバー６１，６２の基部側操作部６１０，６２０は、それぞれ、左側給紙トレイ３の左側下部および右側給紙トレイ５の右側下部に位置し、ユーザによる手操作が可能とされている。
【００５７】
また、トレイ連結レバー６１，６２はフォーク状の形状をなし、その先側は、それぞれ、左側給紙トレイ３における仕切り板３６の取付け部、右側給紙トレイ５における仕切り板５６の取付け部にまで延在し、仕切り板３６および仕切り板５６の起立状態で、各仕切り板３６，５６の下端部３６５，５６１を受容して係止する凹溝部６１２，６２２を備えている。
【００５８】
図９（ａ）では、前記仕切り板３６および仕切り板５６の各下端部３６５，５６１が、前記トレイ連結レバー６１，６２の凹溝部６１２，６２２にそれぞれ嵌り込んで係止されている状態を示している。この状態では、仕切り板３６および仕切り板５６が起立しており、左側給紙トレイ３と中央給紙トレイ４、および中央給紙トレイ４と右側給紙トレイ５は、いずれも非連結の状態である。そして、この非連結の状態では、左側給紙トレイ３および右側給紙トレイ５は、下端部３６５，５６１と凹溝部６１２，６２２との係止作用によって、個々には、それぞれ、左側および右側への引出しは不能とされるが、左側給紙トレイ３および右側給紙トレイ５の前後方向の着脱操作の際には、凹溝部６１２，６２２がガイドレールとして機能する。
【００５９】
この状態から、図９（ｂ）に示すように、トレイ連結レバー６１の操作部６１０を左側に、あるいは、トレイ連結レバー６２の操作部６２０を右側に、引き操作すると、凹溝部６１２と下端部３６５との係止状態および凹溝部６２２と下端縁部５６１との係止状態によって、仕切り板３６および仕切り板５６が、矢印のように略円弧状に中央給紙トレイ４側に倒れ、各凹段部４４，４４ａの上に倒伏する。同時に前記連結手段７，８による連結状態が達成される。図９（ｂ）では、便宜上、３個の給紙トレイ３，４，５が連結状態にあることを示しているが、実際には、各給紙トレイ３，４の連結状態および各給紙トレイ４，５の連結状態が個別に達成される。
【００６０】
図１０（ａ）および図１０（ｂ）は、前記連結状態を解除するための機構を示している。図９に示すように、連結解除レバー６３，６４は、切替部筐体６０内であって、前記左側給紙トレイ３と中央給紙トレイ４との連結部下部および中央給紙トレイ４と右側給紙トレイ５との連結部下部に、それぞれ装備されている。
【００６１】
図１０（ａ）に示すように、一方の連結解除レバー６３は、倒伏状態の仕切り板３６の下部に位置し、切替部筐体６０を横断するよう前後に亘って配置され、装置奥側にて切替部筐体６０に引張スプリング６３１を介して接続されている。また、連結解除レバー６３には、その長手方向に沿って長孔６３２が形成され、この長孔６３２内には、切替部筐体６０に設けられた規制ピン６０３が挿入され、連結解除レバー６３は、長孔６３２と規制ピン６０３との相対可動範囲に亘って前後移動が可能とされている。
【００６２】
また、図１０（ｂ）に示すように、他方の連結解除レバー６４は、倒伏状態の仕切り板５６の下部に位置し、切替部筐体６０を横断するよう前後に亘って配置され、装置奥側にて切替部筐体６０に引張スプリング６４１を介して接続されている。また、連結解除レバー６４には、その長手方向に沿って長孔６４２が形成され、この長孔６４２内には、切替部筐体６０に設けられた規制ピン６０４が挿入され、連結解除レバー６３は、長孔６４２と規制ピン６０４との相対可動範囲に亘って前後移動が可能とされている。各連結解除レバー６３，６４の前端部には、切替部筐体６０の手前側端下部に位置する操作部６３０，６４０が設けられ、手操作によって、前記引張スプリング６３１，６４１のばね力に抗して、連結解除レバー６３，６４の装置前方への引き操作が可能とされている。
【００６３】
前記切替部筐体６０の底部には、カム機能部としての半円状の突起部６０５，６０６が形成され、また、前記連結解除レバー６３，６４の下辺部には、この突起部６０５，６０６に対応してカムフォロア機能部としての切欠部６３３，６４３が形成されている。連結解除レバー６３，６４の非操作の状態では、前記突起部６０５，６０６は、それぞれ切欠部６３３，６４３に嵌り込んだ状態に維持されるが、前記操作部６３０，６４０を把持して、連結解除レバー６３，６４を装置の手前側（図１０（ａ）の矢印ｂ方向、図１０（ｂ）の矢印ｃ方向）に引き操作すると、切欠部６３３，６４３の傾斜部６３３ａ，６４３ａと突起部６０５，６０６とのカム作用によって、各連結解除レバー６３，６４が上方に押上げられ、これらの連結解除レバー６３，６４の押上作用によって、各仕切り板３６，５６が水平軸３６１（３６２），５６１（５６２）を支点として強制的にそれぞれ起立される。
【００６４】
中央給紙トレイ４に設けられる前記スリット４４１，４４１ａ（図４、図６参照）は、各連結解除レバー６３，６４が上方に押上げられる際に、各連結解除レバー６３，６４が進入し得るよう構成され、これらのスリット４４１，４４１ａよりも上方に突出する各連結解除レバー６３，６４の上辺部が、各仕切り板３６，５６に直接当接して、各仕切り板３６，５６をそれぞれ起立させる。このとき、各仕切り板３６，５６が垂直状態に起立する過程で、各仕切り板３６，５６の下端部３６５，５６１が、前記トレイ連結レバー６１，６２の凹溝部６１２，６２２にそれぞれ嵌り込み、その回動に伴う係止作用によって、各トレイ連結レバー６１，６２が元の位置に引き戻される（図９（ｂ）の拡大部分における矢印および２点鎖線部参照）。
【００６５】
各仕切り板３６，５６が垂直状態に起立すると、各下端部３６５，５６１が凹溝部６１２，６２２に係止されるとともに、前記各ピン孔７１，７２，７３が各ピン７１ａ，７２ａ，７３ａから、また前記各ピン孔８１，８２，８３が各ピン８１ａ，８２ａ，８３ａからそれぞれ外れて、前記各連結手段７，８による連結状態が解除される。各連結解除レバー６３，６４の操作部６３０，６４０の引き操作を止めると、引張スプリング６３１，６４１の引張り力によって、各連結解除レバー６３，６４が元の位置に戻り、前記突起部６０５，６０６が、切欠部６３３，６４３にそれぞれ嵌り込んだ状態に維持される。なお、図９（ｂ）の拡大部分は、仕切り板３６の起立過程の動作を示しているが、仕切り板５６においても同様に構成される。
【００６６】
図１１（ａ）〜図１１（ｄ）は、前記左側給紙トレイ３と中央給紙トレイ４とを連結し、また、中央給紙トレイ４と右側給紙トレイ５とを連結して、大サイズ（たとえば、Ａ３サイズ）の定形用紙を積載収容し得る連結トレイ３４，４５をそれぞれ形成する場合に、各トレイ連結レバー６１，６２の操作に連動して用紙サイズの視覚的表示と電気的な信号送出切替えとを自動的に行う機構を示している。一方のトレイ連結レバー６１には、その長手方向に沿って２種の定形用紙サイズ表示部６１３，６１４（たとえば、定形用紙サイズＡ４およびＡ３を表示）が印刷や刻印などによって形成されている。
【００６７】
図１１（ａ）は、図９（ａ）のように左側給紙トレイ３と中央給紙トレイ４とが非連結で、一方のトレイ連結レバー６１の引き操作がなされていない状態を示す図である。この状態では、用紙がＡ４サイズであることを表示する用紙サイズ表示部６１３が露出されて視認可能とされ、Ａ３サイズであることを表示する用紙サイズ表示部６１４が切替部筐体６０に形成された遮蔽部６０７によって遮蔽されて視認不能とされる。そして、この状態からトレイ連結レバー６１を左側に引き操作して、左側給紙トレイ３と中央給紙トレイ４を連結すると、図１１（ｂ）に示すように、用紙サイズ表示部６１４（Ａ３）が露出されて視認可能とされ、用紙サイズ表示部６１３（Ａ４）がもう一方の遮蔽部６０７ａによって遮蔽されて視認不能とされた状態となる。
【００６８】
このように、左側給紙トレイ３と中央給紙トレイ４とが連結されて連結トレイ３４が形成されると、切替部筐体６０においては、大サイズの用紙の積載収容が可能な旨の視覚的表示切替が自動的になされる。前述のように連結を解除すると、図１１（ａ）のように、Ａ４サイズであることを表示する用紙サイズ表示部６１３が露出して、左側給紙トレイ３および中央給紙トレイ４には、それぞれＡ４サイズの定形用紙が積載収容可能である旨の表示がなされる。
【００６９】
図１１（ｃ）は、図９（ａ）のように右側給紙トレイ５と中央給紙トレイ４とが非連結で、他方のトレイ連結レバー６２の引き操作がなされていない状態を示す図である。この状態では、Ａ４サイズであることを表示する用紙サイズ表示部６２３が露出されて視認可能とされ、Ａ３サイズであることを表示する用紙サイズ表示部６２４が切替部筐体６０に形成された遮蔽部６０８によって遮蔽されて視認不能とされる。
【００７０】
この状態から他方のトレイ連結レバー６２を右側に引き操作して、右側給紙トレイ５と中央給紙トレイ４を連結すると、図１１（ｄ）に示すように、用紙サイズ表示部６２４（Ａ３サイズ）が露出されて視認可能とされ、用紙サイズ表示部６２３（Ａ４サイズ）がもう一方の遮蔽部６０８ａによって遮蔽されて視認不能とされた状態となる。このように、右側給紙トレイ５と中央給紙トレイ４とが連結されて連結トレイ４５が形成されると、切替部筐体６０には、大サイズの用紙の積載収容が可能な旨の視覚的表示切替が自動的になされる。
【００７１】
前述のように各給紙トレイ４，５間の連結状態を解除すると、図１１（ｃ）のように、Ａ４サイズであることを表示する用紙サイズ表示部６２３が露出されて、右側給紙トレイ５および中央給紙トレイ４にはそれぞれＡ４サイズの定形用紙が積載収容可能である旨の表示がなされる。
【００７２】
また、前記切替部筐体６０には、一方のトレイ連結レバー６１を挟むように配置された発光部９ａおよび受光部９ｂからなる透過型光電センサー（左側サイズ検知センサー）９が配置され、トレイ連結レバー６１には、この発光部９ａおよび受光部９ｂ間の光束９ｃに対応して切欠部（センサー作用部）６１５が形成されている。
【００７３】
図１１（ａ）は、切欠部６１５が、前記光束９ｃに整合する位置にあって、発光部９ａおよび受光部９ｂ間の光透過が許容され、これによって、受光部９ｂがオン、すなわち左側給紙トレイ３および中央給紙トレイ４は非連結で、これらの給紙トレイ３，４には個々にＡ４サイズの定形用紙が積載収容可能である旨の電気的信号が送出されている状態を示している。この状態から、一方のトレイ連結レバー６１が左側に引き操作されると、切欠部６１５が光束９ｃから外れ、光束９ｃがトレイ連結レバー６１によって遮断される。図１１（ｂ）は、受光部９ｂがオフ、すなわち左側給紙トレイ３および中央給紙トレイ４は連結されて連結トレイ３４を形成し、Ａ３サイズの定形用紙が積載収容可能である旨の電気的信号の送出がなされている状態を示している。
【００７４】
さらに、前記切替部筐体６０には、他方のトレイ連結レバー６２を挟むように配置された発光部１０ａおよび受光部１０ｂからなる透過型光電センサー（右側サイズ検知センサー）１０が配置され、トレイ連結レバー６２には、この発光部１０ａおよび受光部１０ｂ間の光束１０ｃに対応して切欠部（センサー作用部）６２５が形成されている。
【００７５】
図１１（ｃ）は、切欠部６２５が、前記光束１０ｃに整合する位置にあって、発光部１０ａおよび受光部１０ｂ間の光透過が許容され、これによって、受光部１０ｂがオン、すなわち右側給紙トレイ５および中央給紙トレイ４は非連結で、これらの給紙トレイ４，５には個々にＡ４サイズの定形用紙が積載収容可能である旨の電気的信号の送出がなされている状態を示している。この状態から、他方のトレイ連結レバー６２が右側に引き操作されると、切欠部６２５が光束１０ｃから外れ、光束１０ｃが他方のトレイ連結レバー６２によって遮断される。
【００７６】
図１１（ｄ）は、受光部１０ｂがオフ、すなわち右側給紙トレイ５および中央給紙トレイ４は連結されて連結トレイ４５を形成し、Ａ３サイズの定形用紙が積載収容可能である旨の電気的信号の送出がなされている状態を示している。
【００７７】
前記各サイズ検知センサー９，１０による検出情報は、装置の操作パネル（図示せず）などに設置される液晶ディスプレイなどからなる装置表示部１０１（後述する図１３参照）に表示される。
【００７８】
図１２（ａ）および図１２（ｂ）は、本発明の画像形成装置Ａに装備される各種センサーの位置を示す図であり、加えて、設置場所の壁Ｗ１，Ｗ２と壁検出センサー１０２，１０３との関係について示している。同図において、装置機体Ａ０の左側面部には、反射型の左壁検出センサー１０２が、装置機体Ａ０の右側面部には、反射型の右壁検出センサー１０３が、それぞれ設置されている。図１２（ａ）に示すように、左壁Ｗ１に添って画像形成装置Ａが設置され、左壁検出センサー１０２が壁Ｗ１からの反射光を検出してオン（壁あり）情報を壁検知信号として出力し、右壁検出センサー１０３がオフ（壁なし）情報を壁検知信号として出力する。また、図１２（ｂ）に示すように、右壁Ｗ２に添って画像形成装置Ａが設置され、右壁検出センサー１０３が壁Ｗ２からの反射光を検出してオン（壁あり）情報を壁検知信号として出力し、左壁検出センサー１０２がオフ（壁なし）情報を壁検知信号として出力する。
【００７９】
給紙部筐体２０における奥側壁部の左端部には、給紙トレイ３の横方向への着脱状態を検出する左トレイ左着脱センサー３７が、また、同奥側壁部の右端部には、給紙トレイ５の横方向への着脱状態を検出する右トレイ右着脱センサー５７が、それぞれ設置されている。また、給紙部筐体２０における手前側であって、各給紙トレイ３〜５が前後に着脱される開口部には、左トレイ前着脱センサー３８、右トレイ前着脱センサー５８および中央トレイ前着脱センサー４６が、それぞれ設置されている。これらのトレイ着脱センサーは、各給紙トレイ３〜５が所定の格納位置に存在するか（挿入されたか、抜出されたか）を検出する。これらのトレイ着脱センサー３７，５７，３８，５８，４６はいずれも透過型光電センサーであり、各給紙トレイ３〜５の対応箇所には光遮蔽板が設けられており、この光遮蔽板で光透過が遮断されているときはオン（トレイあり）の信号を送出し、光透過を検出したときはオフ（トレイなし）の信号を送出するよう構成されている。
【００８０】
これらのトレイ着脱センサー３７，５７，３８，５８，４６はいずれも、たとえば、図１４Ａ（ａ）の拡大部分において右トレイ左着脱センサー５７を例として示すように構成される。すなわち、発光部５７ａと受光部５７ｂとからなる光透過型センサー５７が給紙部筐体２０に設置され、発光部５７ａおよび受光部５７ｂ間に位置する遮蔽板５７１が右側給紙トレイ５の右側支持部５２に取り付けられている。右側給紙トレイ５が右側に引出されると、矢印のように移動して遮蔽板５７１が発光部５７ａおよび受光部５７ｂ間の光遮断位置から離反するよう構成されている。その他のトレイ着脱センサー３７，３８，５８，４６も、図示は省略するが同様に構成される。
【００８１】
図１３は、前記各種センサーの検出情報に基づく表示および給紙ユニットなどの動作を制御する制御部１０４とそれに関連する構成を示すブロック図を示している。前記各種センサーによる検出情報は、制御部１０４に入力され、その旨が表示部１０１に表示される。また、各給紙トレイ３〜５に同一定形サイズ（たとえば、Ａ４サイズ）が積載収容されている場合に、制御部１０４は、壁検出センサー１０２，１０３による検出情報に基づき、前記第１〜第３給紙ユニット３０，４０，５０の駆動の優先順位を決定する。すなわち、図１２（ａ）に示すように、左壁検出センサー１０２が左壁Ｗ１を検出した場合、第１〜第３給紙ユニット３０，４０，５０の駆動を、第１給紙ユニット３０→第２給紙ユニット４０→第３給紙ユニット５０の順に駆動制御する。
【００８２】
また、図１２（ｂ）に示すように、右壁検出センサー１０３が右壁Ｗ２を検出した場合、第１〜第３給紙ユニット３０，４０，５０の駆動を、第３給紙ユニット５０→第２給紙ユニット４０→第１給紙ユニット３０の順に駆動制御する。
【００８３】
このように、制御部１０４は、設置位置によって、前記第１〜第３給紙ユニット３０，４０，５０の駆動の優先順位を決定するように構成されるので、たとえば、Ａ３のような大サイズの用紙を用いた印字の必要性が生じた場合、壁から離れた側の給紙トレイが使用されていない確立が高く、後述する連結トレイ３４，４５の形成の可能性を高めることができる。前記制御部１０４は、たとえば、中央演算処理装置（Central Processing Unit
；略称ＣＰＵ）、ＲＡＭ（Random Access Memory）、ＲＯＭ（Read Only Member）、Ｉ／Ｏ（Input/Output）ポートなどを搭載したマイクロコンピュータによって実現される。
【００８４】
次に、図１４Ａ，図１４Ｂ，図１５Ａ，図１５Ｂ，図１６Ａ，図１６Ｂ，図１７Ａ，図１７Ｂを参照して、本発明の画像形成装置Ａ動作について説明する。図１４Ａおよび図１４Ｂは、図２（ａ）のように、装置機体Ａ０の左側部が壁Ｗ１に添って設置されている場合に、給紙トレイ３〜５のいずれにもＡ４定形用紙が収容されており、給紙トレイ４，５にＡ３定形用紙を装填する例を示している。
【００８５】
図１４Ａ（ａ）〜図１４Ａ（ｃ）は、画像形成装置Ａの左側部に壁Ｗ１が面しており、装置の右側と前方からでなければ給紙トレイ３，４，５にアクセスできない状態での動作を説明するための図である。各給紙トレイ３〜５にはＡ４用紙が積載収容されている。この状態において、Ａ３用紙を用いて印字を行いたいときには、図１４Ａ（ｂ）に示すように、右側給紙トレイ５下部の用紙切替部６のトレイ連結レバー６２を右方向にスライドさせると、図１１（ｃ）に示す状態から、図１１（ｄ）に示すように、トレイ連結レバー６２の手前側部に設けられた右側サイズ検知センサー１０が、トレイ連結レバー６２によって遮蔽され、Ａ３サイズの検知をする。同時に、用紙サイズ表示部６２３，６２４が、Ａ４表示部６２３からＡ３表示部６２４にスライドして切り替わり、Ａ３表示部６２４が視認される。このとき、制御部１０４にてＡ３サイズを一旦認識し、表示部１０１のトレイ表示はＡ３サイズのトレイ表示に切り替わる。
【００８６】
トレイ連結レバー６２を引き操作によってスライドさせると、トレイ連結レバー６２の凹溝部６２２に下端部５６１が嵌り込んだ状態（図９（ａ）参照）で起立していた右側給紙トレイ５の仕切り板５６が中央給紙トレイ４側に回転して倒れ、中央給紙トレイ４における右側給紙トレイ５側の３個のピン８１ａ，８２ａ，８３ａに、仕切り板５６３個のピン孔８１，８２，８３が嵌り、中央給紙トレイ４と右側給紙トレイ５とが連結される。これによって連結トレイ４５が形成される。
【００８７】
次いで、右側給紙トレイ５の右側取手５２１（図４参照）を図１４Ａ（ｃ）に示すように右方向にスライドし引き出すと、中央給紙トレイ４と右側給紙トレイ５とが連結され、これらの中央給紙トレイ４と右側給紙トレイ５とを連結トレイ４５として引き出すことができる。このとき、右トレイ右着脱センサー５７は、連結トレイ４５が引き出されたことを検知する。中央給紙トレイ４と右側給紙トレイ５に積載収容されているＡ４サイズ用紙Ｐ２，Ｐ３を取り除き、図１４Ｂ（ａ）に示すようにＡ３サイズ用紙Ｐ４を配置し、図１４Ｂ（ｂ）に示すように、連結トレイ４５を挿入すると、右トレイ右着脱センサー５７がトレイの挿入を検知し、Ａ３サイズのトレイが挿入されたことを認識する。ここで、第１給紙ユニット３０が動作している途中においても、連結トレイ４５は独立して引き出せるため、たとえば、Ａ３サイズ用紙への印字が予定されている場合に、Ａ４サイズ用紙Ｐ１に対する印字動作中において、Ａ３用紙を補給することが可能となる。
【００８８】
また、図１４Ｂ（ｂ）および図１５Ａ（ａ）に示すように、左側給紙トレイ３にＡ４サイズの用紙Ｐ１が積載収容され、連結トレイ４５にＡ３用紙が積載収容されている状態において、Ａ４サイズ用紙を用いて大量に印字を行う必要が生じたときには、図１５Ａ（ｂ）に示すように、連結トレイ４５の取手（右側給紙トレイ５の右側取手５２１）を右方向にスライドして引き出す。次に、Ａ３サイズ用紙Ｐ４を取り除き、図１５Ａ（ｃ）に示すように、Ａ４サイズ用紙Ｐ２，Ｐ３を連結トレイ４５の中央給紙トレイ４側と右側給紙トレイ５側に置き、連結トレイ４５を左方向にスライドして給紙部筐体２０に挿入すると、右トレイ右着脱センサー５７がトレイの挿入を検知し、Ａ４サイズ用紙Ｐ２，Ｐ３を積載収容した連結トレイ４５が挿入されたことを認識する。
【００８９】
図１５Ｂ（ａ）に示すように、連結トレイ４５が給紙部筐体２０に完全に挿入されたら、図１０（ｂ）に示すように、用紙切替部６に配された連結解除レバー６４の操作部６４０を手操作して手前側に引き出すと、連結解除レバー６４が前記突起部６０６を乗り越え、中央給紙トレイ４と右側給紙トレイ５を連結している仕切り板５６を押し上げる。仕切り板５６は、水平軸５６１，５６２（図８（ｂ）参照）を支点として回転しながら起立し、ピン孔８１，８２，８３およびピン８１ａ，８２ａ，８３ａの嵌合状態が解除され、中央給紙トレイ４および右側給紙トレイ５は相互に分離する。この起立過程で、仕切り板５６の下端部５６１がトレイ連結レバー６２の先端部の凹溝部６２２に引っ掛かり、トレイ連結レバー６２を左方向（本体内に引き込む方向）に引き戻し、仕切り板５６はその下端部５６１が凹溝部６２２に完全に嵌り込んだ状態で垂直に起立する。
【００９０】
トレイ連結レバー６２が引き戻される結果、図１１（ｃ）に示すように、右側サイズ検知センサー１０が、光透過状態となり、Ａ４サイズの検知をする。同時に、用紙サイズ表示部６２３，６２４が、Ａ３表示部６２４からＡ４表示部６２３にスライドして切り替わり、Ａ４表示部６２３が視認される。このとき、制御部１０４にてＡ４サイズを認識し、表示部１０１のトレイ表示はＡ４サイズのトレイ表示に切り替わる。連結解除レバー６４を手離すと、連結解除レバー６４の奥に配置された引張スプリング６４１によって引き戻され、切欠６４３内に前記突起部６０６が納まり初期位置に戻る。これによって、図１５Ｂ（ｂ）に示すように、連結トレイ４５は中央給紙トレイ４と右側給紙トレイ５に分離し、左側給紙トレイ３、中央給紙トレイ４および右側給紙トレイ５の３個のＡ４トレイを用いた大容量印字が可能となる。すなわち、各給紙トレイ３〜５が５００枚のＡ４サイズ用紙Ｐ１，Ｐ２，Ｐ３を積載収容できるとすると、１５００枚の大量印字が可能となる。
【００９１】
図１６Ａおよび図１６Ｂは、図２（ｂ）のように、装置機体Ａ０の右側部が壁Ｗ２に添って設置されている場合に、給紙トレイ３〜５のいずれにもＡ４定形用紙が収容されており、給紙トレイ３，４にＡ３定形用紙を装填する例を示している。図１６Ａ（ａ）では、画像形成装置Ａの右側部に壁Ｗ２が面しており、装置の左側と前方からしか給紙トレイにアクセスできない状態であって、給紙トレイ３〜５にＡ４用紙が積載収容されている。この状態において、Ａ３用紙を用いて印字を行いたいときには、図１６Ａ（ｂ）に示すように、左側給紙トレイ３下部の用紙切替部６のトレイ連結レバー６１を左方向にスライドさせると、図１１（ａ）に示す状態から、図１１（ｂ）に示すように、トレイ連結レバー６１の手前側部に設けられた左側サイズ検知センサー９が、トレイ連結レバー６１によって遮蔽され、Ａ３サイズの検知をする。同時に、用紙サイズ表示部６１３，６１４が、Ａ４表示部６１３からＡ３表示部６１４にスライドして切り替わり、Ａ３表示部６１４が視認される。このとき、制御部１０４にてＡ３サイズを一旦認識し、表示部１０１のトレイ表示はＡ３サイズのトレイ表示に切り替わる。
【００９２】
そして、トレイ連結レバー６１の先端凹溝６１２に下端部３６５が嵌り込んだ状態（図９（ａ）参照）で起立していた左側給紙トレイ３の仕切り板３６が中央給紙トレイ４側に回転して倒れ、中央給紙トレイ４における左側給紙トレイ３側の３個のピン７１ａ，７２ａ，７３ａに、仕切り板３６３個のピン孔７１，７２，７３が嵌り、中央給紙トレイ４と左側給紙トレイ３とが連結される。これによって連結トレイ３４が形成される。次いで、左側給紙トレイ３の左側取手３２１（図４参照）を図１６Ａ（ｃ）に示すように左方向にスライドし引き出すと、中央給紙トレイ４と左側給紙トレイ３とが連結された状態で連結トレイ３４となって引き出される。
【００９３】
このとき、左トレイ左着脱センサー３７は、連結トレイ３４が引き出されたことを検知する。左側給紙トレイ３と中央給紙トレイ４とに積載収容されているＡ４サイズ用紙Ｐ１，Ｐ２を取り除き、図１６Ｂ（ａ）に示すようにＡ３サイズ用紙Ｐ５を配置し、図１６Ｂ（ｂ）に示すように、連結トレイ３４を挿入すると、左トレイ左着脱センサー３７がトレイの挿入を検知し、Ａ３サイズのトレイが挿入されたことを認識する。ここで、第１給紙ユニット５０が動作している途中においても、連結トレイ３４は独立して引き出せるため、たとえば、Ａ３サイズ用紙への印字が予定されている場合に、Ａ４サイズ用紙Ｐ３に対する印字動作中において、Ａ３用紙を補給することが可能となる。
【００９４】
また、図１６Ｂ（ｂ）、図１７Ａ（ａ）に示すように、右側給紙トレイ５にＡ４サイズの用紙Ｐ３が、連結トレイ３４にＡ３用紙が積載収容されている状態において、Ａ４サイズ用紙を用いて大量に印字を行う必要が生じたときには、図１７Ａ（ｂ）に示すように、連結トレイ３４の取手（左側給紙トレイ３の右側取手３２１）を右方向にスライドして引き出す。次にＡ３サイズ用紙Ｐ５を取り除き、図１７Ａ（ｃ）に示すように、Ａ４サイズ用紙Ｐ１，Ｐ２を連結トレイ３４の左側給紙トレイ３側と中央給紙トレイ４側とに置き、連結トレイ３４を右方向にスライドして給紙部筐体２０に挿入すると、左トレイ左着脱センサー３７がトレイの挿入を検知し、Ａ４サイズ用紙Ｐ１，Ｐ２を積載収容した連結トレイ３４が挿入されたことを認識する。
【００９５】
図１７Ｂ（ａ）に示すように、連結トレイ３４が給紙部筐体２０に完全に挿入されたら、図１０（ａ）に示すように、用紙切替部６に配された連結解除レバー６３の操作部６３０を手操作して手前側に引き出すと、連結解除レバー６３が前記突起部６０５を乗り越え、中央給紙トレイ４と左側給紙トレイ３を連結している仕切り板３６を押し上げる。仕切り板３６は水平軸３６１，３６２（図８（ａ）参照）を支点として回転しながら起立し、ピン孔７１，７２，７３およびピン７１ａ，７２ａ，７３ａの嵌合関係が解除され、中央給紙トレイ４および左側給紙トレイ３は相互に分離する。この起立過程で、仕切り板３６の下端部３６５がトレイ連結レバー６１の先端部の凹溝部６１２に引っ掛かり、トレイ連結レバー６１を右方向（本体内に引き込む方向）に引き戻し、仕切り板３６はその下端部３６５が凹溝部６１２に完全には嵌り込んだ状態で垂直に起立する。
【００９６】
トレイ連結レバー６１が引き戻される結果、図１１（ａ）に示すように、左側サイズ検知センサー９が、光透過状態となり、Ａ４サイズの検知をする。同時に、用紙サイズ表示部６１３，６１４が、Ａ３表示部６１４からＡ４表示部６１３にスライドして切り替わり、Ａ４表示部６１３が視認される。このとき、制御部１０４にてＡ４サイズを認識し、表示部１０１のトレイ表示はＡ４サイズのトレイ表示に切り替わる。
【００９７】
連結解除レバー６３を手離すと、連結解除レバー６３の奥に配置された引張スプリング６３１によって引き戻され、切欠６３３内に前記突起部６０５が納まり初期位置に戻る。これによって、図１７Ｂ（ｂ）に示すように、連結トレイ３４は左側給紙トレイ３と中央給紙トレイ４とに分離し、左側給紙トレイ３、中央給紙トレイ４および右側給紙トレイ５の３個のＡ４トレイを用いた大容量印字が可能となる。すなわち、前記と同様に、各給紙トレイ３〜５が５００枚のＡ４サイズ用紙Ｐ１，Ｐ２，Ｐ３を積載収容できるとすると、１５００枚の大量印字が可能となる。
【００９８】
そして、図１２（ａ）および図１２（ｂ）のような壁Ｗ１，Ｗ２（障害物）が、装置の両側面にない場合においては、ユーザが使いやすい方向から用紙補給できるよう、たとえば、右利きの人は右側から、左利きの人は左側から用紙補給できるという使いやすさの利便性がある。さらに、左側給紙トレイ３、中央給紙トレイ４、右側給紙トレイ５の３個のトレイが、いずれもＡ４トレイとして、装置本体の前方から独立した用紙トレイとしてアクセスできる。
【００９９】
図１２（ａ）および図１２（ｂ）ならびに図１４Ａなどに示すように、左側給紙トレイ３における手前側支持部３３に近接する機体Ａ０側には左トレイ前着脱センサー３８が設けてあり、前方への着脱を検知する。また、中央給紙トレイ４における手前側支持部４２に近接する機体Ａ０側には中央トレイ前着脱センサー４６が設けてあり、前方への着脱を検知する。さらに、右側給紙トレイ５における手前側支持部５３に近接する機体Ａ０側には右トレイ前着脱センサー５８が設けてあり、前方への着脱を検知する。これらのトレイ着脱センサーの構成は前述のとおりである。
【０１００】
次に、図１８〜図２４に示したフローチャートを参照して、前述の用紙交換の動作を説明する。図１８Ａ，図１８Ｂ，図１８ＣのフローＦ１，Ｆ２，Ｆ３は、それぞれ前記給紙トレイ３〜５に、個々にＡ４サイズ用紙を補給するフローを示している。図１８ＡのフローＦ１において、まず、左側給紙トレイ３が動作していることを検知し（ステップＳ１）、動作していれば、左側給紙トレイ３を使用した印字が終了まで待機する（ステップＳ２）。左側給紙トレイ３が動作していなければ、前面方向（手前側）から左側給紙トレイ３を引き出し（ステップＳ３）、左側給紙トレイ３が手前側に抜かれ左トレイ前着脱センサー３８がオフを検知する（ステップＳ４）と、表示部１０１の左側給紙トレイ３の表示がオフされ（ステップＳ５）、左側給紙トレイ３にＡ４サイズの用紙補給をし（ステップＳ６）、左側給紙トレイ３を手前側から挿入する（ステップＳ７）と、左トレイ前着脱センサー３８がオンを検知し（ステップＳ８）、左側サイズ検知センサー９のオン検知後Ａ４サイズ状態を認識し（ステップＳ９）、左側給紙トレイ３の表示がオンされ（ステップＳ１０）、終了する（Ｅ１）。
【０１０１】
図１８ＢのフローＦ２において、まず、右側給紙トレイ５が動作していることを検知し（ステップＳ１１）、動作していれば、右側給紙トレイ５を使用した印字が終了まで待機する（ステップＳ１２）。右側給紙トレイ５が動作していなければ、手前側から右側給紙トレイ５を引き出し（ステップＳ１３）、右側給紙トレイ５が手前側に抜かれ右トレイ前着脱センサー５８がオフを検知する（ステップＳ１４）と、表示部１０１の右側給紙トレイ５の表示がオフされる（ステップＳ１５）、右側給紙トレイ５にＡ４サイズの用紙補給をし（ステップＳ１６）、右側給紙トレイ５を手前側から挿入する（ステップＳ１７）と、右トレイ前着脱センサー５８がオンを検知し（ステップＳ１８）、右側サイズ検知センサー１０のオン検知後、Ａ４サイズ状態を認識し（ステップＳ１９）、右側給紙トレイ５の表示がオンされ（ステップＳ２０）、終了する（Ｅ２）。
【０１０２】
図１８ＣのフローＦ３において、まず、中央給紙トレイ４が動作していることを検知し（ステップＳ２１）、動作していれば、中央給紙トレイ４を使用した印字が終了まで待機する（ステップＳ２２）。中央給紙トレイ４が動作していなければ、手前側から中央給紙トレイ４を引き出し（ステップＳ２３）、中央給紙トレイ４が手前側に抜かれ、中央トレイ前着脱センサー４６がオフを検知する（ステップＳ２４）と、表示部１０１の中央給紙トレイ４の表示がオフされる（ステップＳ２５）、中央給紙トレイ４にＡ４サイズの用紙を補給し（ステップＳ２６）、中央給紙トレイ４を手前側から挿入する（ステップＳ２７）と、中央トレイ前着脱センサー４６がオンを検知（ステップＳ２８）し、左側サイズ検知センサー９および右側サイズ検知センサー１０のオン検知後Ａ４サイズ状態を認識し（ステップＳ２９）、中央給紙トレイ４の表示がオンされ（ステップＳ３０）、終了する（Ｅ３）。
【０１０３】
図１９Ａおよび図１９ＢのフローＦ４，Ｆ５は、前記連結トレイ３４および連結トレイ４５に積載収容されているＡ３サイズ用紙を、Ａ４サイズ用紙に差替えるフローであって、フローＦ４は左側から中央給紙トレイ４にＡ４サイズ用紙を入れ替え補給する場合を、フローＦ５は右側から中央給紙トレイ４にＡ４サイズ用紙を入れ替え補給する場合を、それぞれ示している。
【０１０４】
図１９ＡのフローＦ４において、まず、連結Ａ３左トレイ（連結トレイ）３４が動作していることを検知し（ステップＳ３１）、動作していれば、連結トレイ３４を使用した印字が終了するまで待機する（ステップＳ３２）。連結トレイ３４が動作していなければ、左側へ連結トレイ３４を引き出し（ステップＳ３３）、連結トレイ３４が左側に抜かれ、左トレイ左着脱センサー３７がオフを検知する（ステップＳ３４）と、表示部１０１の連結トレイ３４の表示がオフされる（ステップＳ３５）。
【０１０５】
連結トレイ３４からＡ３用紙を取り除き、連結トレイ３４の中央給紙トレイ４にＡ４サイズの用紙を補給し（ステップＳ３６）、連結トレイ３４を左側から挿入する（ステップＳ３７と、左トレイ左着脱センサー３７がオンを検知し（ステップＳ３８）、左側サイズ検知センサー９のオフ検知後Ａ３サイズ状態を一旦認識し（ステップＳ３９）、連結トレイ３４の表示がオンされる（ステップＳ４０）。
【０１０６】
次に、連結解除レバー６３にて連結トレイ３４をＡ４サイズの左側給紙トレイ３とＡ４サイズの中央給紙トレイ４とに分離する（ステップＳ４１）と、左側サイズ検知センサー９のオン検知後、左側給紙トレイ３と中央給紙トレイ４のＡ４サイズ状態を認識し（ステップＳ４２）、左側給紙トレイ３と中央給紙トレイ４の独立トレイに表示が切り替わり（ステップＳ４３）、終了する（Ｅ４）。
【０１０７】
図１９ＢのフローＦ５において、まず、連結Ａ３右トレイ（連結トレイ）４５が動作していることを検知し（ステップＳ４４）、動作していれば、連結トレイ４５を使用した印字が終了するまで待機する（ステップＳ４５）。連結トレイ４５が動作していなければ、右側へ連結トレイ４５を引き出し（ステップＳ４６）、連結トレイ４５が右側に抜かれ、右トレイ右着脱センサー５７がオフを検知する（ステップＳ４７）と、表示部１０１の連結トレイ４５の表示がオフされる（ステップＳ４８）。
【０１０８】
連結トレイ４５からＡ３用紙を取り除き、連結トレイ４５の中央給紙トレイ４にＡ４サイズの用紙を補給し（ステップＳ４９）、連結トレイ４５を右側から挿入する（ステップＳ５０）と、右トレイ右着脱センサー５７がオンを検知し（ステップＳ５１）、右側サイズ検知センサー１０のオフ検知後、Ａ３サイズ状態を一旦認識し（ステップＳ５２）、連結トレイ４５の表示がオンされる（ステップＳ５３）。
【０１０９】
次に、連結解除レバー６４にて連結トレイ４５をＡ４サイズの右側給紙トレイ５とＡ４サイズの中央給紙トレイ４に分離する（ステップＳ５４）と、右側サイズ検知センサー１０のオン検知後、右側給紙トレイ５と中央給紙トレイ４のＡ４サイズ状態を認識し（ステップＳ５５）、右側給紙トレイ５と中央給紙トレイ４の独立トレイに表示が切り替わり（ステップＳ５６）、終了する（Ｅ５）。
【０１１０】
図２０Ａおよび図２０ＢのフローＦ６，Ｆ７は、前記連結トレイ３４および連結トレイ４５に積載収容されているＡ３サイズ用紙を、Ａ４サイズ用紙に差替えるフローであって、フローＦ６は左側から左側給紙トレイ３にＡ４サイズ用紙を入れ替え補給する場合を、フローＦ７は右側から右側給紙トレイ５にＡ４サイズ用紙を入れ替え補給する場合を、それぞれ示している。
【０１１１】
図２０ＡのフローＦ６において、まず、連結トレイ３４が動作していることを検知し（ステップＳ５７）、連結トレイ３４が動作していれば、連結トレイ３４を使用した印字が終了するまで待機する（ステップＳ５８）。連結トレイ３４が動作していなければ、左側へ連結トレイ３４を引き出し（ステップＳ５９）、連結トレイ３４が左側に抜かれ左トレイ左着脱センサー３７がオフを検知する（ステップＳ６０）と、表示部１０１の連結トレイ３４の表示がオフされる（ステップＳ６１）。
【０１１２】
連結トレイ３４からＡ３用紙を取り除き、連結トレイ３４の左側給紙トレイ３部にＡ４サイズの用紙を補給し（ステップＳ６２）、連結トレイ３４を左側から挿入する（ステップＳ６３）と、左トレイ左着脱センサー３７がオンを検知し（ステップＳ６４）、左側サイズ検知センサー９のオフ検知後Ａ３サイズ状態を一旦認識し（ステップＳ６５）、連結トレイ３４の表示がオンされる（ステップＳ６６）。
【０１１３】
次に、連結解除レバー６３にて連結トレイ３４をＡ４サイズの左側給紙トレイ３とＡ４サイズの中央給紙トレイ４に分離する（ステップＳ６７）と、左側サイズ検知センサー９のオン検知後、左側給紙トレイ３と中央給紙トレイ４のＡ４サイズ状態を認識し（ステップＳ６８）、左側給紙トレイ３と中央給紙トレイ４の独立トレイに表示が切り替わり（ステップＳ６９）、終了する（Ｅ６）。
【０１１４】
図２０ＢのフローＦ７において、まず、連結トレイ４５が動作していることを検知し（ステップＳ７０）、動作していれば、連結トレイ４５を使用した印字が終了するまで待機する（ステップＳ７１）。連結トレイ４５が動作していなければ、右側へ連結トレイ４５を引き出し（ステップＳ７２）、連結トレイ４５が右側に抜かれ右トレイ右着脱センサー５７がオフを検知する（ステップＳ７３）と、表示部１０１の連結トレイ４５の表示がオフされる（ステップＳ７４）。
【０１１５】
連結トレイ４５からＡ３サイズ用紙を取り除き、連結トレイ４５の右側給紙トレイ５部にＡ４サイズの用紙補給をし（ステップＳ７５）、連結トレイ４５を右側方向から挿入する（ステップＳ７６）と、右トレイ右着脱センサー５７がオンを検知し（ステップＳ７７）、右側サイズ検知センサー１０のオフ検知後Ａ３サイズ状態を一旦認識し（ステップＳ７８）、連結トレイ４５の表示がオンされる（ステップＳ７９）。
【０１１６】
次に、連結解除レバー６４にて連結トレイ４５をＡ４サイズの右側給紙トレイ５とＡ４サイズの中央給紙トレイ４に分離する（ステップＳ８０）と、右側サイズ検知センサー１０のオン検知後、右側給紙トレイ５と中央給紙トレイ４のＡ４サイズ状態を認識し（ステップＳ８１）、右側給紙トレイ５と中央給紙トレイ４の独立トレイに表示が切り替わり（ステップＳ８２）、終了する（Ｅ７）。
【０１１７】
図２１のフローＦ８は、左側給紙トレイ３と中央給紙トレイ４とが、独立したＡ４サイズの状態、またはこれらが連結されて連結トレイ３４を構成している状態にあり、左側から連結トレイ３４にＡ３サイズ用紙を補給する場合を示している。まず、左側サイズ検知センサー９のオンを検知し（ステップＳ８３）、左側給紙トレイ３と中央給紙トレイ４が独立したＡ４トレイとなっている場合、左側給紙トレイ３または中央給紙トレイ４が動作していれば（ステップＳ８４）、左側給紙トレイ３または中央給紙トレイ４を使用した印字動作が終了するまで待機する（ステップＳ８５）。
【０１１８】
次に、トレイ連結レバー６１を操作し（ステップＳ８６）、仕切り板３６が倒れ、左側給紙トレイ３と中央給紙トレイ４を連結させ、連結トレイ３４となる（ステップＳ８７）。このとき、左側サイズ検知センサー９のオンを検知し（ステップＳ８８）、表示部１０１のトレイ表示が左側給紙トレイ３と中央給紙トレイ４から連結トレイ３４の表示に切り替わる（ステップＳ８９）。左側へ連結トレイ３４を引き出し（ステップＳ９０）、連結トレイ３４が左側に抜かれ左トレイ左着脱センサー３７がオフを検知し（ステップＳ９１）、表示部１０１の連結トレイ３４の表示がオフされる（ステップＳ９２）。
【０１１９】
連結トレイ３４からＡ４サイズ用紙を取り除き、Ａ３サイズ用紙を補給し（ステップＳ９３）、連結トレイ３４を左側から挿入する（ステップＳ９４）と、左トレイ左着脱センサー３７がオンを検知し（ステップＳ９５）、左側サイズ検知センサー９のオフ検知後、連結トレイ３４のＡ３サイズ状態を認識し（ステップＳ９６）、連結トレイ３４の表示がオンとなり（ステップＳ９７）、終了する（Ｅ８）。
【０１２０】
前記ステップＳ８３において、左側サイズ検知センサー９のオフを検知し、連結トレイ３４となっている場合、連結トレイ３４が動作していれば（ステップＳ９８）、連結トレイ３４を使用した印字が終了するまで待機する（ステップＳ９９）。連結トレイ３４が動作していなければ、その後はステップＳ９０からステップＳ９７のフローに従う。
【０１２１】
図２２のフローＦ９は、右側給紙トレイ５と中央給紙トレイ４とが、独立したＡ４サイズの状態、またはこれらが連結されて連結トレイ４５を構成している状態にあり、右側から連結トレイ４５にＡ３サイズ用紙を補給する場合を示している。まず、右側サイズ検知センサー１０のオンを検知し（ステップＳ１００）、右側給紙トレイ５と中央給紙トレイ４が独立したＡ４トレイとなっている場合、右側給紙トレイ５または中央給紙トレイ４が動作していれば（ステップＳ１０１）、右側給紙トレイ５または中央給紙トレイ４を使用した印字動作が終了するまで待機する（ステップＳ１０２）。
【０１２２】
次に、トレイ連結レバー６２を操作し（ステップＳ１０３）、仕切り板５６が倒れ、右側給紙トレイ５と中央給紙トレイ４を連結させ、連結トレイ４５となる（ステップＳ１０４）。このとき、右側サイズ検知センサー１０のオンを検知し（ステップＳ１０５）、表示部１０１のトレイ表示が右側給紙トレイ５と中央給紙トレイ４から連結トレイ４５の表示に切り替わる（ステップＳ１０６）。右側へ連結トレイ４５を引き出し（ステップＳ１０７）、連結トレイ４５が右側に抜かれ右トレイ右着脱センサー５７がオフを検知し（ステップＳ１０８）、表示部１０１の連結トレイ４５の表示がオフされる（ステップＳ１０９）。
【０１２３】
連結トレイ４５からＡ４サイズ用紙を取り除き、Ａ３サイズ用紙を補給し（ステップＳ１１０）、連結トレイ４５を右側から挿入する（ステップＳ１１１）と、右トレイ右着脱センサー５７がオンを検知し（ステップＳ１１２）、右側サイズ検知センサー１０のオフ検知後、連結トレイ４５のＡ３サイズ状態を認識し（ステップＳ１１３）、連結トレイ４５の表示がオンとなり（ステップＳ１１４）、終了する（Ｅ９）。
【０１２４】
前記ステップＳ１００において、右側サイズ検知センサー１０のオフを検知し、連結トレイ４５となっている場合、連結トレイ４５が動作していれば（ステップＳ１１５）、連結トレイ４５を使用した印字が終了するまで待機する（ステップＳ１１６）。連結トレイ４５が動作していなければ、その後はステップＳ１０７からステップＳ１０８のフローに従う。
【０１２５】
前記において、各トレイに用紙補給を行うフローを説明したが、次に、画像形成装置Ａの側面のどちらかに壁面が面している場合の動作を説明する。図２３Ａは、装置の右側が壁面に面している場合（図２（ｂ）、図３（ｄ）に示す例）の動作を示している。右側に壁面があることで、左側給紙トレイ３と中央給紙トレイ４は連結したり独立したりできるが、右側給紙トレイ５は独立したＡ４トレイとして動作する。まず、補給したい用紙サイズがＡ３サイズの場合（ステップＳ１１７）は、前記フローＦ８からＥ１０のフローに従う。
【０１２６】
補給したい用紙サイズがＡ４サイズの場合（ステップＳ１１７）で、左側給紙トレイ３にＡ４用紙を補給する場合（ステップＳ１１８）において、左側サイズ検知センサー９がオフを検知し、連結トレイ３４となっている場合（ステップＳ１１９）は、前記フローＦ６からＥ１０のフローに従う。また、左側サイズ検知センサー９がオフを検知し、連結トレイ３４となっていない場合（ステップＳ１１９）は、前記フローＦ１からＥ１０のフローに従う。
【０１２７】
補給したい用紙サイズがＡ４サイズの場合（ステップＳ１１７）で、左側給紙トレイ３以外のトレイに用紙を補給する場合（ステップＳ１１８）において、中央給紙トレイ４に用紙補給をする場合（ステップＳ１２０）には、左側サイズ検知センサー９がオンを検知し、連結トレイ３４となっている場合（ステップＳ１２１）は、前記フローＦ４からＥ１０のフローに従う。また、左側サイズ検知センサー９がオフを検知し、連結左トレイ３４となっていない場合（ステップＳ１２１）は、フローＦ３からＥ１０のフローに従う。中央給紙トレイ４に用紙補給をしない場合（ステップＳ１２０）、つまり右側給紙トレイ５に用紙補給する場合は、前記フローＦ２からＥ１０のフローに従う。
【０１２８】
図２３Ｂは、装置の左側が壁面に面している場合（図２（ａ）、図３（ｃ）に示す例）の動作を示している。右側に壁面があることで、右側給紙トレイ５と中央給紙トレイ４は連結したり独立したりできるが、左側給紙トレイ３は独立したA３トレイとして動作する。まず、補給したい用紙サイズがＡ３サイズの場合（ステップＳ１２２）は、前記フローＦ９からＥ１１のフローに従う。補給したい用紙サイズがＡ４サイズの場合（ステップＳ１２２）で、右側給紙トレイ５にＡ４用紙を補給する場合（ステップＳ１２３）において、右側サイズ検知センサー１０がオンを検知し、連結トレイ４５となっている場合（ステップＳ１２４）は、前記フローＦ７からＥ１１のフローに従う。また、右側サイズ検知センサー１０がオフを検知し、連結トレイ４５となっていない場合（ステップＳ１２４）は、前記フローＦ２からＥ１１のフローに従う。
【０１２９】
補給したい用紙サイズがＡ４サイズの場合（ステップＳ１２２）で、右側給紙トレイ５以外のトレイに用紙を補給する場合（ステップＳ１２３）において、中央給紙トレイ４に用紙補給をする場合（ステップＳ１２５）には、右側サイズ検知センサー１０がオンを検知し、連結トレイ４５となっている場合（ステップＳ１２６）は、前記フローＦ５からＥ１１のフローに従う。また、右側サイズ検知センサー１０がオフを検知し、連結トレイ４５となっていない場合（ステップＳ１２６）は、前記フローＦ３からＥ１１のフローに従う。中央給紙トレイ４に用紙補給をしない場合（ステップＳ１２５）、つまり左側給紙トレイ３に用紙補給する場合は、前記フローＦ１からＥ１１のフローに従う。
【０１３０】
最後に、画像形成装置Ａの周りに障害がない場合の動作を、図２４を用いて説明する。この場合、左側給紙トレイ３と中央給紙トレイ４とを連結し、また、右側給紙トレイ５と中央給紙トレイ４とを連結し、あるいは、各給紙トレイ３〜５を独立としたりすることができる。まず、補給したい用紙サイズがＡ３サイズの場合（ステップＳ１２７）において、左側から用紙補給をする場合（ステップＳ１２８）は、前記フローＦ８からＥ１２のフローに従う。また、右側から用紙補給をする場合（ステップＳ１２８）は、前記フローＦ９からＥ１２のフローに従う。
【０１３１】
補給したい用紙サイズがＡ４サイズの場合（ステップＳ１２７）で、右側給紙トレイ５にＡ４用紙を補給する場合（ステップＳ１２８）において、右側サイズ検知センサー１０がオンを検知し、連結トレイ４５となっている場合（ステップＳ１３０）は、前記フローＦ７からＥ１２のフローに従う。また、右側サイズ検知センサー１０がオフを検知し、連結トレイ４５となっていない場合（ステップＳ１３０）は、前記フローＦ２からＥ１２のフローに従う。
【０１３２】
補給したい用紙サイズがＡ４サイズの場合（ステップＳ１２７）で、右側給紙トレイ５以外のトレイに用紙を補給する場合（ステップＳ１２９）において、中央給紙トレイ４に用紙補給をする場合（ステップＳ１３１）には、右側サイズ検知センサー１０がオンを検知し、連結トレイ４５となっている場合（ステップＳ１３２）は、前記フローＦ５からＥ１２のフローに従う。
【０１３３】
また、右側サイズ検知センサー１０がオフを検知し、連結トレイ４５となっていない場合（ステップＳ１３２）は、左側サイズ検知センサー９がオンを検知し、連結トレイ３４となっている場合（ステップＳ１３３）は、前記フローＦ４からＥ１２のフローに従う。ここで左側サイズ検知センサー９がオフを検知し、連結トレイ３４となっていない場合（ステップＳ１３３）は、前記フローＦ３からＥ１２のフローに従う。
【０１３４】
補給したい用紙サイズがＡ４サイズの場合（ステップＳ１２７）で、右側給紙トレイ５以外のトレイに用紙を補給する場合（ステップＳ１２９）において、中央給紙トレイ４以外のトレイに用紙補給をする場合（ステップＳ１３１）、つまり左側給紙トレイ３に用紙補給する場合は、左側サイズ検知センサー９がオンを検知し、連結トレイ３４となっている場合（ステップＳ１３４）は、前記フローＦ６からＥ１２のフローに従う。ここで左側サイズ検知センサー９がオフを検知し、連結トレイ３４となっていない場合（ステップＳ１３４）は、前記フローＦ１からＥ１２のフローに従う。
【０１３５】
なお、実施形態では、画像記録部１が、カラーの電子写真方式による例を示したが、モノクロの電子写真方式によるものであってもよく、また、電子写真方式に限らず、たとえば、インクジェット方式によるものであってもよい。さらに、図２（ａ）および図２（ｂ）の例では、近接物（障害物）が壁Ｗ１，Ｗ２である例を示したが、これに限らず、既設のキャビネットなどの什器であってもよい。加えて、図１および図２では、露光ユニット１６がレーザ方式による例を示した、公知のＬＥＤ方式であってもよい。
【図面の簡単な説明】
【０１３６】
【図１】本発明の一実施形態である画像形成装置Ａの概略的構成を示す縦断面図である。
【図２】図２（ａ）および図２（ｂ）は同画像形成装置Ａの使用例を示し、図２（ａ）は同画像形成装置Ａをその左側部を壁Ｗ１に添わして設置した場合を、図２（ｂ）は図２（ａ）は同画像形成装置Ａをその右側部を壁Ｗ２に添わして設置した場合を、それぞれ示している。
【図３】図３（ａ）〜図３（ｄ）は同画像形成装置Ａの種々の使用態様を、給紙トレイ３〜５の連結の際の仕切り板３６，５６の倒伏も含めて模式的に示す図である。
【図４】給紙トレイ３〜５の概略的構造を示す平面図である。
【図５】図５（ａ）および図５（ｂ）は給紙トレイ３の断面図であり、図５（ａ）は図４における切断面線Ｖ（ａ）−Ｖ（ａ）から見た断面図、図５（ｂ）は図４における切断面線Ｖ（ｂ）−Ｖ（ｂ）から見た断面図である。
【図６】図６（ａ）〜図６（ｃ）は中央給紙トレイ４の断面図であり、図６（ａ）は図４における切断面線ＶＩ（ａ）−ＶＩ（ａ）から見た断面図、図６（ｂ）は図４における切断面線ＶＩ（ｂ）−ＶＩ（ｂ）から見た断面図、図６（ｃ）は図４における切断面線ＶＩ（ｃ）−ＶＩ（ｃ）から見た断面図である。
【図７】図７（ａ）および図７（ｂ）は給紙トレイ３の断面図であり、図７（ａ）は図４における切断面線ＶＩＩ（ａ）−ＶＩＩ（ａ）から見た断面図、図７（ｂ）は図４における切断面線ＶＩＩ（ｂ）−ＶＩＩ（ｂ）から見た断面図である。
【図８】図８（ａ）および図８（ｂ）はそれぞれ、左側給紙トレイ３と中央給紙トレイ４との連結の機構、中央給紙トレイ４と右側給紙トレイ５との連結の機構を説明する概念的斜視図である。
【図９】図９（ａ）および図９（ｂ）はそれぞれ、左側給紙トレイ３と中央給紙トレイ４との連結の機構、中央給紙トレイ４と右側給紙トレイ５との連結の機構を説明する概念的断面図である。
【図１０】図１０（ａ）および図１０（ｂ）はそれぞれ、左側給紙トレイ３と中央給紙トレイ４との連結解除機構、中央給紙トレイ４と右側給紙トレイ５との連結解除機構を説明する概念的断面図であり、図１０（ａ）は図９における切断面線Ｘ（ａ）−Ｘ（ａ）から見た断面図、図１０（ｂ）は図９における切断面線Ｘ（ｂ）−Ｘ（ｂ）から見た断面図である。
【図１１】図１１（ａ）および図１１（ｄ）は図９におけるＸＩ（ａ）部、ＸＩ（ｂ）部、ＸＩ（ｃ）部およびＸＩ（ｄ）部の詳細を示す図である。
【図１２】図１２（ａ）および図１２（ｂ）は画像形成装置Ａに装備される各種センサーの位置を示すとともに、設置場所の壁Ｗ１（ａ），Ｗ２（ｂ）と壁検出センサー１０２，１０３との関係について示す図である。
【図１３】各種センサーの検出情報に基づく表示および給紙ユニットなどの動作を制御する制御部１０４とそれに関連する構成を示すブロック図である。
【図１４Ａ】図１４Ａ（ａ）〜図１５Ａ（ｃ）は装置機体Ａ０の左側部が壁Ｗ１に添って設置されている場合に、給紙トレイ３〜５のいずれにもＡ４定形用紙が収容されており、給紙トレイ４，５にＡ３定形用紙を装填する手順を示す概略的平面図である。
【図１４Ｂ】図１４Ｂ（ａ）および図１４Ｂ（ｂ）は図１４Ａ（ａ）〜図１４Ａ（ｃ）に続く手順を示す概略的平面図である。
【図１５Ａ】図１５Ａ（ａ）〜図１５Ｃ（ｃ）は左側給紙トレイ３にＡ４サイズの用紙Ｐ１が、連結トレイ４５にＡ３用紙が積載収容されている状態において、Ａ４サイズ用紙を用いて大量に印字を行う必要が生じたときにＡ４サイズ用紙に変える場合の手順を示す概略的平面図である。
【図１５Ｂ】図１５（ａ）および図１５（ｂ）は図１５Ａ（ａ）〜図１５Ａ（ｃ）に続く手順を示す概略的平面図である。
【図１６Ａ】図１６（ａ）〜図１６（ｃ）は装置機体Ａ０の右側部が壁Ｗ２に添って設置されている場合に、給紙トレイ３〜５のいずれにもＡ４定形用紙が収容されており、給紙トレイ３，４にＡ３定形用紙を装填する手順を示す概略的平面図である。
【図１６Ｂ】図１６Ｂ（ａ）および図１６Ｂ（ｂ）は図１６Ａ〜（ａ）図１６Ａ（ｃ）に続く手順を示す概略的平面図である。
【図１７Ａ】図１７Ａ（ａ）〜図１７Ａ（ｃ）は右側給紙トレイ５にＡ４サイズの用紙Ｐ３が、連結トレイ３４にＡ３用紙が積載収容されている状態において、Ａ４サイズ用紙を用いて大量に印字を行う必要が生じたときにＡ４サイズ用紙に変える場合の手順を示す概略的平面図である。
【図１７Ｂ】図１７Ｂ（ａ）および図１７Ｂ（ｂ）は図１７Ａ（ａ）〜図１７Ａ（ｃ）に続く手順を示す概略的平面図である。
【図１８Ａ】給紙トレイ３にＡ４サイズ用紙を補給するフローチャートである。
【図１８Ｂ】給紙トレイ５にＡ４サイズ用紙を補給する動作を説明するためのフローチャートである。
【図１８Ｃ】給紙トレイ４にＡ４サイズ用紙を補給する動作を説明するためのフローチャートである。
【図１９Ａ】左側から中央給紙トレイ４にＡ４サイズ用紙を入れ替え補給する動作を説明するためのフローチャートである動作を説明するためのフローチャートである。
【図１９Ｂ】右側から中央給紙トレイ４にＡ４サイズ用紙を入れ替え補給する動作を説明するためのフローチャートである。
【図２０Ａ】左側から左側給紙トレイ３にＡ４サイズ用紙を入れ替え補給する動作を説明するためのフローチャートである。
【図２０Ｂ】右側から右側給紙トレイ５にＡ４サイズ用紙を入れ替え補給する動作を説明するためのフローチャートである。
【０１３７】
【図２１】左側給紙トレイ３と中央給紙トレイ４とが、独立したＡ４サイズの状態、またはこれらが連結されて連結トレイ３４を構成している状態にあり、左側から連結トレイ３４にＡ３サイズ用紙を補給する場合を示すフローチャートである。
【図２２】右側給紙トレイ５と中央給紙トレイ４とが、独立したＡ４サイズの状態、またはこれらが連結されて連結トレイ４５を構成している状態にあり、右側から連結トレイ４５にＡ３サイズ用紙を補給する場合を示すフローチャートである。
【図２３Ａ】装置の右側が壁面に面している場合の動作を説明するためのフローチャートである。
【図２３Ｂ】装置の左側が壁面に面している場合の動作を説明するためのフローチャートである。
【図２４】画像形成装置Ａの周りに障害がない場合の動作を示すフローチャートである。
【符号の説明】
【０１３８】
１  画像記録部
２  給紙部
３  左側給紙トレイ
４  中央給紙トレイ
５  右側給紙トレイ
７，８  連結手段
９  左側サイズ検知センサー（用紙サイズセンサー）
１０  右側サイズ検知センサー（用紙サイズセンサー）
２０  給紙部筐体
３４，４５  大サイズ給紙トレイ（連結トレイ）
３６，５６  仕切り板
３７  左トレイ左着脱センサー
３８  左トレイ前着脱センサー
４６  中央トレイ前着脱センサー
５７  右トレイ右着脱センサー
５８  右トレイ前着脱センサー
６１，６２  トレイ連結レバー
６３，６４  連結解除レバー（起立手段）
７１，７２，７３  ピン孔
７１ａ，７２ａ，７３ａ  ピン
８１，８２，８３  ピン孔
８１ａ，８２ａ，８３ａ  ピン
１０２  左壁検出センサー（近接物検出センサー）
１０３  右壁検出センサー（近接物検出センサー）
２０１  給紙部筐体の底板
６１３，６１４  用紙サイズ表示部
６１５，６２５  センサー作用部
６２３，６２４  用紙サイズ表示部
Ａ  画像形成装置
Ａ０  装置機体
【図１】
2010155711.tif 000003
【図２】
2010155711.tif 000004
【図３】
2010155711.tif 000005
【図４】
2010155711.tif 000006
【図５】
2010155711.tif 000007
【図６】
2010155711.tif 000008
【図７】
2010155711.tif 000009
【図８】
2010155711.tif 000010
【図９】
2010155711.tif 000011
【図１０】
2010155711.tif 000012
【図１１】
2010155711.tif 000013
【図１２】
2010155711.tif 000014
【図１３】
2010155711.tif 000015
【図１４Ａ】
2010155711.tif 000016
【図１４Ｂ】
2010155711.tif 000017
【図１５Ａ】
2010155711.tif 000018
【図１５Ｂ】
2010155711.tif 000019
【図１６Ａ】
2010155711.tif 000020
【図１６Ｂ】
2010155711.tif 000021
【図１７Ａ】
2010155711.tif 000022
【図１７Ｂ】
2010155711.tif 000023
【図１８Ａ】
2010155711.tif 000024
【図１８Ｂ】
2010155711.tif 000025
【図１８Ｃ】
2010155711.tif 000026
【図１９Ａ】
2010155711.tif 000027
【図１９Ｂ】
2010155711.tif 000028
【図２０Ａ】
2010155711.tif 000029
【図２０Ｂ】
2010155711.tif 000030
【図２１】
2010155711.tif 000031
【図２２】
2010155711.tif 000032
【図２３Ａ】
2010155711.tif 000033
【図２３Ｂ】
2010155711.tif 000034
【図２４】
2010155711.tif 000035